(57)【特許請求の範囲】
【請求項１】
ページの第１の面に印刷すべき事項と前記ページの第２の面に印刷すべき事項との間の関係を記述する情報を伝える印刷プレビュー画像を表示する方法であって、
印刷すべきプリントジョブに依存して変化するページの印刷プレビュー画像を表示するステップと、
前記印刷プレビュー画像とともに、複数の選択可能な綴じオプションの内前記ページを含む文書についてどの綴じオプションが選択されているかの指示を与えるアイコンを表示するステップと、
を備えて成る方法。
【請求項２】
どの綴じオプションが選択されているかの指示を与えるアイコンを表示する前記ステップが、ページを裏返すオプションが選択されていないとき前記印刷プレビュー画像に対して垂直軸の周りの回転を示す曲がり矢印を表示するステップを備えており、どの綴じオプションが選択されているかの指示を与えるアイコンを表示する前記ステップが、ページを裏返すオプションが選択されているとき前記印刷プレビュー画像に対して水平軸の周りの回転を示す曲がり矢印を表示するステップを備えていることを特徴とする、請求項１に記載の方法。
【請求項３】
ユーザ入力に応じて、ページを裏返すオプションが選択されていないとき垂直軸の周りの前記ページの回転を示す一連の画像を表示するステップと、ユーザ入力に応じて、ページを裏返すオプションが選択されているとき水平軸の周りの前記ページの回転を示す一連の画像を表示するステップとをさらに備えて成ることを特徴とする、請求項１に記載の方法。
【請求項４】
前記アイコンに関して、印刷すべきページの表面側の最初の印刷プレビュー画像から中間フレームを通って移行し、前記最初の印刷プレビュー画像に表示された前記ページの反対面に対応する最終印刷プレビュー画像で終わる動画連鎖を開始するためのユーザ選択可能な制御をさらに備えて成ることを特徴とする、請求項１に記載の方法。
【請求項５】
それぞれのページに第１および第２の面がある複数のページを備えた文書の印刷を制御し、且つ複数の可能な綴じオプションから綴じオプションの選択を受け取るコンピュータ実行式プリンタ制御装置であって、
オペレーティングシステムを提供するよう構成され且つ印刷すべき少なくとも一つの文書を表すファイルを保存するよう動作する記憶装置と、
ページの第１の面に印刷すべき事項と前記ページの第２の面に印刷すべき事項との間の関係を記述する情報を伝えるよう構成されたグラフィカル・ユーザ・インターフェースの画像をビューイング・ウインドウに示すよう構成された表示装置と、
前記グラフィカル・ユーザ・インターフェースに、印刷すべき実際のページからの文書または画像の情報を含む画像を示す、印刷すべきページの印刷プレビュー画像を表示し且つ、前記印刷プレビュー画像とともに、前記ページを含む文書についてどの綴じオプションが選択されているかの指示を与えるアイコンを表示するよう構成された処理回路と、
を備えて成るプリンタ制御装置。
【請求項６】
前記処理回路は他に、ページを裏返すオプションが選択されていないとき前記印刷プレビュー画像に対して垂直軸の周りの回転を示す曲がり矢印を表示し、ページを裏返すオプションが選択されているとき前記印刷プレビュー画像に対して水平軸の周りの回転を示す曲がり矢印を表示するよう構成されていることを特徴とする、請求項５に記載のプリンタ制御装置。
【請求項７】
前記処理回路は他に、前記印刷プレビュー画像に前記ページのどの側が図示されているかを示す印を表示するよう構成されていることを特徴とする、請求項５に記載のプリンタ制御装置。
【請求項８】
前記処理回路は他に、ユーザ入力に応じて、ページを裏返すオプションが選択されていないとき垂直軸の周りの前記ページの回転を示す一連の画像を表示するよう構成されていることを特徴とする、請求項５に記載のプリンタ制御装置。
【請求項９】
前記処理回路は他に、ユーザ入力に応じて、ページを裏返すオプションが選択されているとき水平軸の周りの前記ページの回転を示す一連の画像を表示するよう構成されていることを特徴とする、請求項５に記載のプリンタ制御装置。
【請求項１０】
前記処理回路は他に、前記アイコンにより、印刷すべき前記ページの表面側の最初の印刷プレビュー画像から中間フレームを通って移行し、前記最初の印刷プレビュー画像に表示された前記ページの反対面に対応する最終印刷プレビュー画像で終わる動画連鎖を開始するためのユーザ選択可能な制御を与えるよう構成されていることを特徴とする、請求項５に記載のプリンタ制御装置。
【請求項１１】
ページの第１の面に印刷すべき事項と前記ページの第２の面に印刷すべき事項との間の関係を記述する情報を伝え、見えているものが実際に得られるものである印刷プレビュー画像を表示する方法であって、
印刷すべきページの印刷プレビュー画像を表示するステップと、
前記印刷プレビュー画像とともに、複数の選択可能な綴じオプションの内前記ページを含む文書についてどの綴じオプションが選択されているかの指示を与えるアイコンを表示するステップと、
を備えて成り、
どの綴じオプションが選択されているかの指示を与えるアイコンを表示する前記ステップが、ページを裏返すオプションが選択されていないときに、前記印刷プレビュー画像に対して垂直軸の周りの回転を示す曲がり矢印を表示するステップを備え、どの綴じオプションが選択されているかの指示を与えるアイコンを表示する前記ステップが、ページを裏返すオプションが選択されているときに、前記印刷プレビュー画像に対して水平軸の周りの回転を示す曲がり矢印を表示するステップを備えており、
前記印刷プレビュー画像において示され、前記ページのどの面であるかを示す指標を表示することと、前記矢印がユーザの実際のコマンドインターフェースを規定し、ユーザが起動させた前記矢印に応じた動画が開始されることとをさらに含む方法。
【発明の詳細な説明】
【０００１】
【発明の属する技術分野】
本発明は、プリンタおよびコンピュータ・ネットワークに関する。特に、本発明は、印刷のため選択された文書について所定の印刷特徴を表示することに関する。
【０００２】
【従来の技術】
最近のプリンタ装置に見られる能力の増大により、選択した所要印刷を実現するためプリンタに送られる命令を一層精巧にする必要がある。代わって、ユーザは印刷すべき文書を構成する際に選択するオプション（選択肢）を多数所持している。その結果、プリンタのオプションを簡潔で、組織化された、有益な、ユーザに親しみやすい様式で組織化し表示することができる必要性が劇的に増大してきている。
【０００３】
通常、印刷ジョブはプリンタに送られ、ユーザには状態ダイアログボックスが設けられる。印刷ソフトウェアは、フォーマット済みページを印刷ジョブからプリンタに送ることができるようにするため印刷ジョブの準備処理を行なう。印刷ジョブが処理されている間、ソフトウェアは、印刷ジョブの状態を状態ダイアログボックスに表示する。状態が表示されている間、ユーザは、印刷ソフトウェアが介入なしに印刷ジョブを処理し続けるままにしておく、印刷ジョブを解除する、またはユーザが種々の印刷オプションを審査しまたは修正している間印刷ジョブを一時的に停止するという選択権を所持している。
【０００４】
最近の或るプリンタは、片面または単純印刷に加えて両面または二重印刷を随意選択として備えている。印刷オプションに単純印刷に加えて二重印刷があると、二重印刷について可能な綴じオプションを区別する必要がある。
【０００５】
第１のオプションは、「長縁」綴じと言われ、枚葉の長い縁に沿って共に固定されているページまたは枚葉を有する文書に対応する。肖像モード印刷と共に長縁綴じが必要なとき文字列が正しく流れるためには、ページの両面の印刷を、一方の面に対する枚葉の上部が他方の面に対する枚葉の上部と同じであるような向きにする。
【０００６】
第２の綴じオプションは、「短縁」綴じと言われ、枚葉の短い縁に沿って共に固定されている枚葉を有する文書に対応する。短縁綴じが肖像モード印刷と共に必要であるとき文字列が正しく流れるためには、枚葉の前面（または奇数面）の印刷を、前面に対する枚葉の上部が反対面に対する枚葉の下部でもあるような向きにする。 したがって、間違った綴じオプションを選択すると、文書ページをユーザが意図した仕方で裏返したとき、ページの裏面、反対面、または偶数番の面が前面、表面、または奇数番の面に対して逆さになる。
【０００７】
通常のグラフィックス表示装置は、印刷中の文書の印刷プレビュー画像を与える。反対面が空白でないことを指示するために、これら表示装置は、「折れた」隅を示すようなグラフィックス装飾、または螺旋ワイヤ綴じのような結束装置、ステープル、またはルーズリーフ・バインダ、を使用する創造的技法に依存している。しかし、これらの解決法は、ページの他方の面に何があるかを実際に示さず、綴じオプションの明瞭な指示を与えることができない。別の方法は、二つの静止画像を横並びに図示することであり、この場合、一つの画像はページの表面を表し、他方の画像はページの反対面を表している。しかし、この形式の静止表示装置は一方の画像から他方の画像に進むのにページがどう裏返されたかを示すことができない。
必要なのはユーザに二重印刷ジョブがどう印刷されているかを明瞭に伝える二次元表示装置を提供することである。
【０００８】
【発明が解決しようとする課題】
本発明の課題は、ユーザに両面印刷ジョブがどう印刷されているかを明瞭に伝える二次元表示装置を提供することにある。
【０００９】
【課題を解決するための手段】
本発明の一局面によれば、ページの第１の面に印刷すべき事項とページの第２の面に印刷すべき事項との間の関係を記述する情報を伝える印刷プレビュー画像を表示する方法は、印刷すべきページの印刷プレビュー画像を表示するステップ、および、印刷プレビュー画像とともに、そのページを含む文書についてどの綴じオプションが選択されているかの指示を与えるアイコンを表示するステップを備えている。
【００１０】
本発明の他の局面によれば、製品は、コンピュータ読取り可能コードが埋め込まれて表示装置にページの第１の面に印刷すべき事項とページの第２の面に印刷すべき事項との間の関係を記述する情報を表示させるコンピュータ使用可能媒体を備えている。製品にあるコンピュータ読取り可能プログラムコードは、グラフィカル・ユーザ・インターフェースに、印刷すべきページの印刷プレビュー画像を表示し、印刷プレビュー画像とともに、そのページを含む文書についてどの綴じオプションが選択されているかの指示を与えるアイコンを表示するよう構成されている。
【００１１】
本発明の更に他の局面によれば、コンピュータ実行プリンタ制御装置は、オペレーティングシステムを提供するよう構成され且つ印刷すべき少なくとも一つの文書を表すファイルを保存するよう動作する記憶装置と、グラフィカル・ユーザ・インターフェースの画像をビューイング・ウインドウ（観察窓）に示すよう構成された表示装置とを備えている。グラフィカル・ユーザ・インターフェースはページの第１の面に印刷すべき事項とページの第２の面に印刷すべき事項との間の関係を記述する情報を伝えるよう構成されている。この装置はまた、グラフィカル・ユーザ・インターフェースに、印刷すべきページの印刷プレビュー画像を表示し且つ、印刷プレビュー画像とともに、そのページを含む文書についてどの綴じオプションが選択されているかの指示を与えるアイコンを表示するよう構成されている。
【００１２】
本発明の他の特徴および長所は、当業者には下記詳細説明、特許請求の範囲、および図面を再検討することにより明らかになるであろう。
【００１３】
【発明の実施の形態】
図１は、本発明の一実施形態による、コンピュータ装置10、およびバス13により共に結合されているプリンタ12の簡略ブロック図である。コンピュータ装置10は、データおよびアドレスバス16に結合している中央処理装置（ＣＰＵ）を備えている。データおよびアドレスバス16は記憶装置18に結合している。記憶装置18は、ＣＤ ＲＯＭ、フロッピ駆動装置、ハード駆動装置、ｚｉｐ駆動装置、フロプティカル記憶装置、光学記憶装置、テープ記憶装置、または他の形態のデータ記憶装置、および当技術で公知の検索装置を備えることができる不揮発性大量データ記憶装置20を備えている。
【００１４】
記憶装置18はまた、読出専用記憶装置（ＲＯＭ）22およびランダムアクセス記憶装置（ＲＡＭ）24を備えている。一実施形態では、コンピュータ装置10は、記憶装置18または他の、下に説明するソフトウェアを支持するコンピュータ読取り可能媒体を備えている。
【００１５】
表示装置26およびユーザ・インターフェース28はまた、データおよびアドレスバス16を介してＣＰＵ14に結合している。コンピュータ装置10は、データおよびアドレスバス16に結合してコンピュータ装置10と、プリンタ12を含む外部のデータ処理・調節装置との間のデータ通信を促進するＩ/Ｏ装置30を備えている。更に複雑なコンピュータ装置もプリンタ12に関連して使用されることが認識されるが、説明を明瞭にするためおよび理解しやすくするため、本発明を図１のコンピュータ装置10に関して説明する。
【００１６】
一実施形態では、ユーザ・インターフェース28は、キーボード、および、マウスまたはタッチパッドのようなカーソル操作接触入力装置を備えている。しかし、音声認識装置、ジョイステック、グラフィックスタブレット、データ・リーダ、カード・リーダ、磁気および光学リーダ、その他のコンピュータ装置などの他の形態の入力装置をも使用できる。ユーザは、表示装置26により可視フィードバックを受取る。
【００１７】
一構成によれば、表示装置26は、ＣＲＴ表示装置または液晶表示装置のようなグラフィックス表示端末を備えている。ユーザはユーザ・インターフェース28により命令および文字列を入れ、表示装置26を使用してコンピュータ装置10からのフィードバックを観察する。ＣＰＵ14は、ユーザからの命令に応答して、通常はＲＡＭに格納されているコード行から成るモジュールを使用してデータについて操作を行う。ＣＰＵ14は次に記憶装置18に格納でき、表示装置26に表示できる、またはプリンタのような、コンピュータ装置10の外部にある他の装置と通信できる結果を提供する。モジュールは、主プログラムとは別のサブルーチンにより規定してもよいし規定しなくてもよい。本発明をコンピュータ装置10およびプリンタ12に関して説明するが、本発明はサーバなどのような多数のコンピュータを備えた装置でも実用化できることが理解されよう。
【００１８】
図２は、本発明の一局面によるプロセスＰ１を例示する簡略流れ図である。プロセスＰ１はステップＳ１で始まる。
【００１９】
ステップＳ１で、ユーザは印刷命令を与える。印刷命令は、コンピュータ装置10に、印刷すべき文書を記述するファイルおよび所定の印刷オプションを組織させ、プリンタ12に送らせてジョブを印刷し、且つ表示してユーザに印刷ジョブについて選択された特徴を知らせる他に、ユーザに印刷ジョブの状態を知らせ続ける。
【００２０】
ステップＳ２で、プロセスＰ１はグラフィカル・ユーザ・インターフェースを、たとえば表示装置26に表示する。グラフィカル・ユーザ・インターフェースを、「状態」特徴をユーザ選択可能特徴のリストから選択して、図３に図示したもののようにすることができる。グラフィカル・ユーザ・インターフェースは、印刷プレビュー画像を備えており、所定の特徴について制御する。
【００２１】
ステップＳ３で、プロセスＰ１は印刷ジョブの現在の状態をグラフィカル・ユーザ・インターフェースに表示する。
【００２２】
質問タスクＳ４でプロセスＰ１は、ユーザが図３のグラフィカル・ユーザ・インターフェースにある特徴のリストから「両面に印刷する」オプションを選択しているか確認する。質問タスクＳ４が「両面に印刷する」オプションが選択されていないことを確認すると、プロセスＰ１は終了する。
【００２３】
質問タスクＳ４が「両面に印刷する」オプションが選択されていることを確認すると、質問タスクＳ５が「ページを裏返す」綴じオプションが選択されているか確認する。
【００２４】
質問タスクＳ５が「ページを裏返す」綴じオプションが選択されていることを確認すると、ステップＳ６が「ｘ」軸の周りに引っくり返す必要のある綴じオプションを表す一つ以上のアイコンを表示させる。
【００２５】
質問タスクＳ５が「ページを裏返す」綴じオプションが選択されていないことを確認すると、ステップＳ７が「ｙ」軸の周りに引っくり返す必要のある綴じオプションを表す一つ以上のアイコンを表示させる。
【００２６】
図３は、本発明の一実施形態に従って図２の流れ図に示したプロセスＰ１を使用して図１のプリンタ12を制御するためのグラフィカル・ユーザ・インターフェース48の簡略図を示す。図３は、第１の分割線54により分離されている第１の画面部分50および第２の画面部分52を示す。
【００２７】
一実施形態では、第２の画面部分52は、第２の分割線60により互いに分離されている第１の副部分56および第２の副部分58に分離されている。
【００２８】
プリンタ特徴のリスト64は、第１の部分50に、スクロール・バー66とともに表示されている。これによりユーザは、リスト64にある特徴を迅速に走査し、リスト64にある特徴を選択し、たとえば、マウス駆動のカーソルを使用して、それらのデフォルト設定値を修正することができる。ユーザがリスト64から一つの特徴を選択すると、その特徴は特徴のリスト64に可視的に明確に図示される。リスト64から特徴を選択すると、第２の副部分58に表示されている制御を変更して現在選択されている特徴について適切に制御する。
【００２９】
たとえば、ユーザが、オプションのリスト64の中でこのオプションを囲む箱により示されているように、「両面に印刷する」オプションを選択すると、第２の副部分58は、「ページを裏返す」制御67を表示する。「長縁」または「短縁」オプションではなく「ページを裏返す」オプションを使用すると、肖像および風景の両印刷モードが単一制御により混乱なく率直に処理される。
【００３０】
第１の副部分56は、印刷プレビュー画像68を表示する。第１の副部分56は、スクロール・ボタン72とともに、スクロール・バー70をも表示する。スクロール・バー70によりユーザは、たとえば、マウス駆動カーソルを使用して、印刷プレビュー画像68のための文書内の特定のページを選択することができる。印刷プレビュー画像68は、印刷したときに現れるような、所定ページに対応する画像を示す。
【００３１】
一実施形態では、図４Ａに示したもののような印刷プレビュー画像68は、「ページを裏返す」綴じオプションが図２のステップＳ５で選択されていないこと、すなわち、ユーザが第２の副部分58に図示された「ページを裏返す」制御67をチェックしなかったことを示すのに表示されている。一実施形態では、印刷プレビュー画像68は、ラベル「FRONT（前）」の代わりに、またはそれに加えて、ページ番号を表示している。オプションのリスト64で「両面に印刷する」オプションを選択していると、印刷プレビュー画像68は特別な曲がり矢印80をも備えて選択されている綴じオプションの指示を与える。一実施形態では、曲がり矢印80は印刷プレビュー画像68の残りの部分と対照して目立つ色（たとえば、青）で表示することにより強調されている。一実施形態では、曲がり矢印80を、これがユーザ選択可能命令であることをユーザに可視的に知らせるために三次元の縁取りで良く見えるようにしている（たとえば、「ボタン」の上に描く）。
【００３２】
図４Ａ−図４Ｇは、本発明の一実施形態に従って、「ｙ」または垂直軸の周りに引っくり返す必要のある綴じオプションを選択したことを実証するのに、図３のグラフィカル・ユーザ・インターフェース48のようなグラフィカル・ユーザ・インターフェースに表示できる順次フレームの例示集合体を示す。一実施形態では、図４Ａ−図４Ｇの画像を、ユーザが曲がり矢印80を、たとえばマウスのクリックにより選択したことに応答して順次に表示している。一実施形態では、図４Ｂ−図４Ｆの画像を約0.05秒ごとに表示し、約0.3秒の動画連鎖を得ている。図４Ｇの印刷プレビュー画像 68は図４Ａの印刷プレビュー画像68のページの反対面を表している。図４Ｄの印刷プレビュー画像68はページが「ｙ」軸の周りに裏返されていることを示している。一実施形態では、図４Ａおよび図４Ｇの印刷プレビュー画像68は、表示されているページの面を示す印82を備えている。このような印82は、ページ番号でもよく、または「FRONT（前）」または「BACK（後）」のような語にしてページのどの面が印刷プレビュー画像68に表示されているかの指示を与えることができる。一実施形態では、印刷プレビュー画像４Ａおよび４Ｇだけが「ｙ」軸の周りの裏返しを示す曲がり矢印80を備えている。
【００３３】
図５Ａ−図５Ｇは、本発明の一実施形態に従って、図４Ａ−図４Ｇのものと類似の仕方で「ｘ」または水平軸の周りに引っくり返す必要のある綴じオプションを選択したことを実証するのに、図３のグラフィカル・ユーザ・インターフェース48のようなグラフィカル・ユーザ・インターフェースに表示できる順次フレームの例示集合体を示す。図５Ａ−図５Ｇに示した事例では、動画連鎖は、「ｘ」軸の周りの回転に対応している。一実施形態では、印刷プレビュー画像５Ａおよび５Ｇだけが「ｘ」軸の周りの裏返しを示す曲がり矢印80を備えている。
【００３４】
図４Ａ−図４Ｇおよび図５Ａ−図５Ｇの例は、裏返しの順序を動画化するのに五つの中間フレームを利用しているが、更に多いまたは更に少ない中間画像を採用できることが認識される。またフレームあたり例示の0.05秒に対しておよび動画連鎖の0.3秒に対して更に長いまたは更に少ない時間間隔を使用できることも認識される。時間間隔をユーザが所定の綴じオプションを区別できる十分な長さに、および混乱または不快を避ける十分な長さにすることが望ましい。
【００３５】
図４Ａ、図４Ｇ、図５Ａ、および図５Ｇの画像は、また、所定の二重設定および関連綴じオプションについて二つの可視の合図を与える。印82の存在および曲がり矢印80の存在は各々、二重化が可能であること、すなわち、「両面に印刷する」オプションがオプションのリスト64（図３）から選択されていることを示している。曲がり矢印80を印刷プレビュー画像68の側端に置くと、「ページを裏返す」制御67（図３）が選択されていないことを示す。「ページを裏返す」制御67が選択されていると、曲がり矢印80は印刷プレビュー画像68の上または下に置かれる。
【００３６】
スプール後ジョブ処理用途のような、文書全体を知っている印刷ソフトウェアでは、別の実施形態がユーザに、印刷すべき文書を通じて一度に１ページ進ませることにより図４Ａ−図４Ｇまたは図５Ａ−図５Ｇの動画連鎖をトリガさせている。たとえば、ユーザは、図３のスクロール・バー70の上または下をクリックして印刷すべき文書内で一度に１ページ後または前に動かすことができる。図４Ａ−図４Ｇまたは図５Ａ−図５Ｇの順次動作は次に、二重化文書で前に移動するとき奇数ページから偶数ページへの移行を動画化する（文書における前への移動で偶数ページから奇数ページへ移るには、一つのページを裏返すよりも新しい紙シートが必要になる）。
【００３７】
その結果、ユーザは二重印刷特徴が選択されていることを視覚で知らされる。他に、ユーザは印刷すべきページの前面および背面を容易に調べることができる。更に、選択されている綴じオプションがユーザに容易に明らかである。動画はユーザにページを裏返す仕方を記述する別の可視フィードバックを与える。
【００３８】
以上、本発明の実施例について詳述したが、以下、本発明の各実施態様の例を示す。
【００３９】
[実施態様１]
ページの第１の面に印刷すべき事項と前記ページの第２の面に印刷すべき事項との間の関係を記述する情報を伝える印刷プレビュー画像（68）を表示する方法であって、
印刷すべきページの印刷プレビュー画像（68）を表示するステップ（Ｓ２、Ｓ３）と、
前記印刷プレビュー画像（68）とともに、複数の選択可能な綴じオプションの内前記ページを含む文書についてどの綴じオプションが選択されいるかの指示を与えるアイコン（80）を表示するステップ（Ｓ６、Ｓ７）と、
を備えて成る方法。
【００４０】
[実施態様２]
どの綴じオプションが選択されいるかの指示を与えるアイコン（80）を表示する前記ステップ（Ｓ６、Ｓ７）が、ページを裏返すオプションが選択されていないとき前記印刷プレビュー画像（68）に対して垂直軸の周りの回転を示す曲がり矢印（80）を表示するステップ（Ｓ７）を備えており、どの綴じオプションが選択されているかの指示を与えるアイコン（80）を表示する前記ステップ（Ｓ６、Ｓ７）が、ページを裏返すオプションが選択されているとき前記印刷プレビュー画像（68）に対して水平軸の周りの回転を示す曲がり矢印（80）を表示するステップ（Ｓ６）を備えていることを特徴とする、実施態様１に記載の方法。
【００４１】
[実施態様３]
ユーザ入力に応じて、ページを裏返すオプションが選択されていないとき垂直軸の周りの前記ページの回転を示す一連の画像を表示するステップと、ユーザ入力に応じて、ページを裏返すオプションが選択されているとき水平軸の周りの前記ページの回転を示す一連の画像を表示するステップとをさらに備えて成ることを特徴とする、実施態様１に記載の方法。
【００４２】
[実施態様４]
前記アイコン（80）に関して、印刷すべきページの表面側の最初の印刷プレビュー画像（68）から中間フレームを通って移行し、前記最初の印刷プレビュー画像（68）に表示された前記ページの反対面に対応する最終印刷プレビュー画像（68）で終わる動画連鎖を開始するためのユーザ選択可能な制御をさらに備えて成ることを特徴とする、実施態様１に記載の方法。
【００４３】
[実施態様５]
それぞれのページに第１および第２の面がある複数のページを備えた文書の印刷を制御し、且つ複数の可能な綴じオプションから綴じオプションの選択を受け取るコンピュータ実行式プリンタ制御装置（12）であって、
オペレーティングシステムを提供するよう構成され且つ印刷すべき少なくとも一つの文書を表すファイルを保存するよう動作する記憶装置（22）と、
ページの第１の面に印刷すべき事項と前記ページの第２の面に印刷すべき事項との間の関係を記述する情報を伝えるよう構成されたグラフィカル・ユーザ・インターフェース（48）の画像をビューイング・ウインドウに示すよう構成された表示装置（26）と、
前記グラフィカル・ユーザ・インターフェース（48）に、印刷すべきページの印刷プレビュー画像（68）を表示し且つ、前記印刷プレビュー画像（68）とともに、前記ページを含む文書についてどの綴じオプションが選択されているかの指示を与えるアイコン（80）を表示する（Ｓ６、Ｓ７）よう構成された処理回路（14）と、
を備えて成るプリンタ制御装置。
【００４４】
[実施態様６]
前記処理回路（14）は他に、ページを裏返すオプションが選択されていないとき前記印刷プレビュー画像（68）に対して垂直軸の周りの回転を示す曲がり矢印（80）を表示し（Ｓ７）、ページを裏返すオプションが選択されているとき前記印刷プレビュー画像（68）に対して水平軸の周りの回転を示す曲がり矢印（80）を表示する（Ｓ６）するよう構成されていることを特徴とする、実施態様５に記載のプリンタ制御装置。
【００４５】
[実施態様７]
前記処理回路（14）は他に、前記印刷プレビュー画像（68）に前記ページのどの側が図示されているかを示す印（82）を表示するよう構成されていることを特徴とする、実施態様５に記載のプリンタ制御装置。
【００４６】
[実施態様８]
前記処理回路は他に、ユーザ入力に応じて、ページを裏返すオプションが選択されていないとき垂直軸の周りの前記ページの回転を示す一連の画像を表示するよう構成されていることを特徴とする、実施態様５に記載のプリンタ制御装置。
【００４７】
[実施態様９]
前記処理回路は他に、ユーザ入力に応じて、ページを裏返すオプションが選択されているとき水平軸の周りの前記ページの回転を示す一連の画像を表示するよう構成されていることを特徴とする、実施態様５に記載のプリンタ制御装置。
【００４８】
[実施態様１０]
前記処理回路は他に、前記アイコンにより、印刷すべき前記ページの表面側の最初の印刷プレビュー画像（68）から中間フレームを通って移行し、前記最初の印刷プレビュー画像（68）に表示された前記ページの反対面に対応する最終印刷プレビュー画像（68）で終わる動画連鎖を開始するためのユーザ選択可能な制御を与えるよう構成されていることを特徴とする、実施態様５に記載のプリンタ制御装置。
【００４９】
【発明の効果】
以上説明したように、本発明を用いることにより、ユーザに両面印刷ジョブがどう印刷されているかを明瞭に伝える二次元表示装置を提供することができる。
【図面の簡単な説明】
【図１】本発明の一実施形態によるコンピュータ装置およびプリンタの簡略ブロック図である。
【図２】本発明の一実施形態によるプロセスを示す簡略流れ図である。
【図３】図２の流れ図に示したプロセスを使用する図１のプリンタを制御するための、本発明の一実施形態による、例示グラフィカル・ユーザ・インターフェースの簡略図である。
【図４Ａ】図３のもののようなグラフィカル・ユーザ・インターフェースに表示して「ｙ」軸の周りのひっくり返しを必要とする綴じオプションの選択を実証する、本発明の一実施形態による、一組の例示順次フレームを示す図である。
【図４Ｂ】図３のもののようなグラフィカル・ユーザ・インターフェースに表示して「ｙ」軸の周りのひっくり返しを必要とする綴じオプションの選択を実証する、本発明の一実施形態による、一組の例示順次フレームを示す図である。
【図４Ｃ】図３のもののようなグラフィカル・ユーザ・インターフェースに表示して「ｙ」軸の周りのひっくり返しを必要とする綴じオプションの選択を実証する、本発明の一実施形態による、一組の例示順次フレームを示す図である。
【図４Ｄ】図３のもののようなグラフィカル・ユーザ・インターフェースに表示して「ｙ」軸の周りのひっくり返しを必要とする綴じオプションの選択を実証する、本発明の一実施形態による、一組の例示順次フレームを示す図である。
【図４Ｅ】図３のもののようなグラフィカル・ユーザ・インターフェースに表示して「ｙ」軸の周りのひっくり返しを必要とする綴じオプションの選択を実証する、本発明の一実施形態による、一組の例示順次フレームを示す図である。
【図４Ｆ】図３のもののようなグラフィカル・ユーザ・インターフェースに表示して「ｙ」軸の周りのひっくり返しを必要とする綴じオプションの選択を実証する、本発明の一実施形態による、一組の例示順次フレームを示す図である。
【図４Ｇ】図３のもののようなグラフィカル・ユーザ・インターフェースに表示して「ｙ」軸の周りのひっくり返しを必要とする綴じオプションの選択を実証する、本発明の一実施形態による、一組の例示順次フレームを示す図である。
【図５Ａ】図３のもののようなグラフィカル・ユーザ・インターフェースに表示して「ｘ」軸の周りの引っくり返すを必要とする綴じオプションの選択を実証する、本発明の一実施形態による、一組の例示順次フレームを示す図である。
【図５Ｂ】図３のもののようなグラフィカル・ユーザ・インターフェースに表示して「ｘ」軸の周りの引っくり返すを必要とする綴じオプションの選択を実証する、本発明の一実施形態による、一組の例示順次フレームを示す図である。
【図５Ｃ】図３のもののようなグラフィカル・ユーザ・インターフェースに表示して「ｘ」軸の周りの引っくり返すを必要とする綴じオプションの選択を実証する、本発明の一実施形態による、一組の例示順次フレームを示す図である。
【図５Ｄ】図３のもののようなグラフィカル・ユーザ・インターフェースに表示して「ｘ」軸の周りの引っくり返すを必要とする綴じオプションの選択を実証する、本発明の一実施形態による、一組の例示順次フレームを示す図である。
【図５Ｅ】図３のもののようなグラフィカル・ユーザ・インターフェースに表示して「ｘ」軸の周りの引っくり返すを必要とする綴じオプションの選択を実証する、本発明の一実施形態による、一組の例示順次フレームを示す図である。
【図５Ｆ】図３のもののようなグラフィカル・ユーザ・インターフェースに表示して「ｘ」軸の周りの引っくり返すを必要とする綴じオプションの選択を実証する、本発明の一実施形態による、一組の例示順次フレームを示す図である。
【図５Ｇ】図３のもののようなグラフィカル・ユーザ・インターフェースに表示して「ｘ」軸の周りの引っくり返すを必要とする綴じオプションの選択を実証する、本発明の一実施形態による、一組の例示順次フレームを示す図である。
【符号の説明】
12：プリンタ制御装置
14：処理回路
22：記憶装置
26：表示装置
48：グラフィカル・ユーザ・インターフェース
68：印刷プレビュー画像
80：アイコン
82：印
【図１】
0003686585.tif 000002
【図２】
0003686585.tif 000003
【図３】
0003686585.tif 000004
【図４Ａ】
0003686585.tif 000005
【図４Ｂ】
0003686585.tif 000006
【図４Ｃ】
0003686585.tif 000007
【図４Ｄ】
0003686585.tif 000008
【図４Ｅ】
0003686585.tif 000009
【図４Ｆ】
0003686585.tif 000010
【図４Ｇ】
0003686585.tif 000011
【図５Ａ】
0003686585.tif 000012
【図５Ｂ】
0003686585.tif 000013
【図５Ｃ】
0003686585.tif 000014
【図５Ｄ】
0003686585.tif 000015
【図５Ｅ】
0003686585.tif 000016
【図５Ｆ】
0003686585.tif 000017
【図５Ｇ】
0003686585.tif 000018